(57)【要約】【課題】設定画面の切り替えを確実に認識させる。【解決手段】動作条件の設定対象および動作条件の設定項目種別の少なくとも一方が相違する複数の設定画面のうちの指定された１つを表示部に表示させた状態において、その１つの設定画面を他の１つの設定画面に切り替えるときに、輝度、明度および彩度のうちの少なくとも１つを通常表示状態における常態表示レベル（レベルＬａ）から常態表示レベルよりも低レベルの切替え時表示レベル（レベルＬｂまたはレベルＬｃ）まで低下させた後に少なくとも１つを常態表示レベル（レベルＬａ）まで上昇させる。【選択図】図３
2011145964.tif 000002
【特許請求の範囲】
【請求項１】
動作条件を設定するための設定画面を表示部に表示させる制御部を備えた測定装置であって、
前記制御部は、前記動作条件の設定対象および当該動作条件の設定項目種別の少なくとも一方が相違する複数の前記設定画面のうちの指定された１つを前記表示部に表示させた状態において当該１つの設定画面を他の１つの前記設定画面に切り替えるときに、輝度、明度および彩度のうちの少なくとも１つを通常表示状態における常態表示レベルから当該常態表示レベルよりも低レベルの切替え時表示レベルまで低下させた後に当該少なくとも１つを当該常態表示レベルまで上昇させる測定装置。
【請求項２】
前記制御部は、前記少なくとも１つを前記常態表示レベルから前記切替え時表示レベルまで低下させるとき、および当該少なくとも１つを当該切替え時表示レベルから当該常態表示レベルまで上昇させるときの少なくとも一方において当該少なくとも１つを徐々に変更する請求項１記載の測定装置。
【請求項３】
前記制御部は、前記少なくとも１つが前記切替え時表示レベルまで低下したときに前記１つの設定画面を前記他の１つの設定画面に切り替える請求項２記載の測定装置。
【請求項４】
前記制御部は、前記設定対象および前記設定項目種別の双方が相違する前記設定画面を前記表示部に表示させる請求項１から３のいずれかに記載の測定装置。
【請求項５】
前記制御部は、前記１つの設定画面と前記設定対象が同一で前記設定項目種別が相違する前記他の１つの設定画面に切り替えるときの前記切替え時表示レベルとしての第１の表示レベルと、前記１つの設定画面と前記設定項目種別が同一で前記設定対象が相違する前記他の１つの設定画面に切り替えるときの前記切替え時表示レベルとしての第２の表示レベルとを相違させる請求項４記載の測定装置。
【請求項６】
前記制御部は、前記１つの設定画面と前記設定対象が同一で前記設定項目種別が相違する前記他の１つの設定画面に切り替えるときに前記少なくとも１つの前記切替え時表示レベルへの変更を開始してから当該少なくとも１つの前記常態表示レベルへの変更を完了するまでの第１の時間と、前記１つの設定画面と前記設定項目種別が同一で前記設定対象が相違する前記他の１つの設定画面に切り替えるときに前記少なくとも１つの前記切替え時表示レベルへの変更を開始してから当該少なくとも１つの前記常態表示レベルへの変更を完了するまでの第２の時間とを相違させる請求項４または５記載の測定装置。
【請求項７】
測定装置の動作条件を設定するための設定画面を表示部に表示させる設定画面の表示方法であって、
前記動作条件の設定対象および当該動作条件の設定項目種別の少なくとも一方が相違する複数の前記設定画面のうちの指定された１つを前記表示部に表示させた状態において当該１つの設定画面を他の１つの前記設定画面に切り替えるときに、輝度、明度および彩度のうちの少なくとも１つを通常表示状態における常態表示レベルから当該常態表示レベルよりも低レベルの切替え時表示レベルまで低下させた後に当該少なくとも１つを当該常態表示レベルまで上昇させる設定画面の表示方法。
【請求項８】
前記少なくとも１つを前記常態表示レベルから前記切替え時表示レベルまで低下させるとき、および当該少なくとも１つを当該切替え時表示レベルから当該常態表示レベルまで上昇させるときの少なくとも一方において当該少なくとも１つを徐々に変更する請求項７記載の設定画面の表示方法。
【請求項９】
前記少なくとも１つが前記切替え時表示レベルまで低下したときに前記１つの設定画面を前記他の１つの設定画面に切り替える請求項８記載の設定画面の表示方法。
【請求項１０】
前記設定対象および前記設定項目種別の双方が相違する前記各設定画面を前記表示部に表示させる請求項７から９のいずれかに記載の設定画面の表示方法。
【請求項１１】
前記１つの設定画面と前記設定対象が同一で前記設定項目種別が相違する前記他の１つの設定画面に切り替えるときの前記切替え時表示レベルとしての第１の表示レベルと、前記１つの設定画面と前記設定項目種別が同一で前記設定対象が相違する前記他の１つの設定画面に切り替えるときの前記切替え時表示レベルとしての第２の表示レベルとを相違させる請求項１０記載の設定画面の表示方法。
【請求項１２】
前記１つの設定画面と前記設定対象が同一で前記設定項目種別が相違する前記他の１つの設定画面に切り替えるときに前記少なくとも１つの前記切替え時表示レベルへの変更を開始してから当該少なくとも１つの前記常態表示レベルへの変更を完了するまでの第１の時間と、前記１つの設定画面と前記設定項目種別が同一で前記設定対象が相違する前記他の１つの設定画面に切り替えるときに前記少なくとも１つの前記切替え時表示レベルへの変更を開始してから当該少なくとも１つの前記常態表示レベルへの変更を完了するまでの第２の時間とを相違させる請求項１０または１１記載の設定画面の表示方法。
【発明の詳細な説明】
【技術分野】
【０００１】
本発明は、動作条件を設定するための設定画面を表示部に表示させる制御部を備えた測定装置、および測定装置における設定画面の表示方法に関するものである。
【背景技術】
【０００２】
この種の設定画面の表示方法に従って設定画面を表示する測定装置として、携帯型データ収録装置（以下、単に「収録装置」ともいう）が特開２００４−１９１３１９号公報に開示されている。この収録装置では、初期画面（ＨＯＭＥ画面）が表示器に表示された状態において、選択されているチャンネルを表す数字（例えば、「チャンネル２」を表す「２」との数字）と、そのチャンネルの温度データ（測定値）と、現在の年月日時間とが表示画面内に表示される。この状態において、決定キーが操作されたときには、表示画面が初期画面から、選択されているチャンネルについての収録時間を設定するための収録時間設定画面に切り替わる。なお、この状態において戻るキーが操作されたときには、表示画面が収録時間設定画面から前述した初期画面に切り替わる。
【０００３】
一方、収録時間についての設定を行うときには、収録時間設定画面が表示されている状態において機能キーを操作する。この際には、表示画面が収録時間設定画面から予約時間設定画面に切り替わる。次いで、テンキーや上下左右キーを操作することにより、所望の予約開始時間と予約終了時間とを設定する。この後、決定キーが操作されたときには、表示画面が予約時間設定画面から予約スタンバイ画面に切り替わる。また、設定した予約開始時間が到来したときには、表示画面が予約時間設定画面から収録画面に切り替わると共に、予め設定された収録条件に従って各チャンネル毎の温度信号が取り込まれて温度データとして記憶手段に保存される。また、予約終了時間が到来したときには、一連のデータ収録が終了して、表示画面が収録画面から初期画面に切り替わる。
【先行技術文献】
【特許文献】
【０００４】
【特許文献１】特開２００４−１９１３１９号公報（第３−７頁、第１−４図）
【発明の概要】
【発明が解決しようとする課題】
【０００５】
ところが、従来の収録装置には、以下の問題点がある。すなわち、従来の収録装置では、初期画面が表示されている状態において決定キーが操作されたときに、表示画面が、選択されているチャンネルについての収録時間設定画面に切り替わり、その状態において機能キーが操作されたときに、表示画面が、そのチャンネルについての予約時間設定画面に切り替わる構成が採用されている。この場合、従来の収録装置では、収録時間設定画面を表示させたときに、「シュウロクジカン」との文字列が表示画面内に表示され、予約時間設定画面を表示させたときに、「ヨヤクセッテイ」との文字列が表示画面内に表示される構成が採用されている。しかしながら、収録時間設定画面の表示内容（設定項目）と、予約時間設定画面の表示内容（設定項目）とが似ているため、この種の装置の操作に不慣れな利用者にとっては、上記のような文字列が表示されていたとしても、機能キーの操作によって収録時間設定画面を予約時間設定画面に切り替えることができたか否かを直感的に認識するのが困難となっているという問題点がある。
【０００６】
また、従来の収録装置では、収録時間設定画面または予約時間設定画面を表示させたときに、選択されているチャンネルを表す「Ｎｏ．０２」との文字列が表示画面内に表示される構成が採用されている。しかしながら、収録時間設定画面または予約時間設定画面を表示させた状態において、他のチャンネル（一例として、「チャンネル１」）を選択したときには、「Ｎｏ．０２」との文字列が「Ｎｏ．０１」との文字列に表示替えされるだけで、基本的な表示内容が殆ど変化しない。このため、この種の装置の操作に不慣れな利用者にとっては、選択されているチャンネルを表す文字列が表示されていたとしても、チャンネルの選択操作によって、所望のチャンネルについての設定画面に切り替えることができたか否かを直感的に認識するのが困難となっているという問題点がある。
【０００７】
本発明は、かかる問題点に鑑みてなされたものであり、設定画面の切り替えを確実に認識させ得る測定装置、および設定画面の表示方法を提供することを主目的とする。
【課題を解決するための手段】
【０００８】
上記目的を達成すべく請求項１記載の測定装置は、動作条件を設定するための設定画面を表示部に表示させる制御部を備えた測定装置であって、前記制御部は、前記動作条件の設定対象および当該動作条件の設定項目種別の少なくとも一方が相違する複数の前記設定画面のうちの指定された１つを前記表示部に表示させた状態において当該１つの設定画面を他の１つの前記設定画面に切り替えるときに、輝度、明度および彩度のうちの少なくとも１つを通常表示状態における常態表示レベルから当該常態表示レベルよりも低レベルの切替え時表示レベルまで低下させた後に当該少なくとも１つを当該常態表示レベルまで上昇させる。
【０００９】
なお、「動作条件の設定対象」とは、「測定対象体」、「測定対象信号」、および「測定処理を実行する測定系」のいずれかを意味する。また、「輝度の変更」とは、動作条件設定画面を表示する表示部（表示器）の明るさを変更することを意味する。具体的には、バックライト式の表示部においては、バックライトの明るさを変更することを意味し、自発光式の表示部においては、発光体の明るさを変更することを意味する。さらに、「明度の変更」とは、表示画面を構成する画像データにおける各画素毎の色情報（画素値）を変更することを意味する。
【００１０】
また、請求項２記載の測定装置は、請求項１記載の測定装置において、前記制御部が、前記少なくとも１つを前記常態表示レベルから前記切替え時表示レベルまで低下させるとき、および当該少なくとも１つを当該切替え時表示レベルから当該常態表示レベルまで上昇させるときの少なくとも一方において当該少なくとも１つを徐々に変更する。
【００１１】
さらに、請求項３記載の測定装置は、請求項２記載の測定装置において、前記制御部が、前記少なくとも１つが前記切替え時表示レベルまで低下したときに前記１つの設定画面を前記他の１つの設定画面に切り替える。
【００１２】
また、請求項４記載の測定装置は、請求項１から３のいずれかに記載の測定装置において、前記制御部が、前記設定対象および前記設定項目種別の双方が相違する前記設定画面を前記表示部に表示させる。
【００１３】
さらに、請求項５記載の測定装置は、請求項４記載の測定装置において、前記制御部が、前記１つの設定画面と前記設定対象が同一で前記設定項目種別が相違する前記他の１つの設定画面に切り替えるときの前記切替え時表示レベルとしての第１の表示レベルと、前記１つの設定画面と前記設定項目種別が同一で前記設定対象が相違する前記他の１つの設定画面に切り替えるときの前記切替え時表示レベルとしての第２の表示レベルとを相違させる。
【００１４】
また、請求項６記載の測定装置は、請求項４または５記載の測定装置において、前記制御部が、前記１つの設定画面と前記設定対象が同一で前記設定項目種別が相違する前記他の１つの設定画面に切り替えるときに前記少なくとも１つの前記切替え時表示レベルへの変更を開始してから当該少なくとも１つの前記常態表示レベルへの変更を完了するまでの第１の時間と、前記１つの設定画面と前記設定項目種別が同一で前記設定対象が相違する前記他の１つの設定画面に切り替えるときに前記少なくとも１つの前記切替え時表示レベルへの変更を開始してから当該少なくとも１つの前記常態表示レベルへの変更を完了するまでの第２の時間とを相違させる。
【００１５】
また、請求項７記載の設定画面の表示方法は、測定装置の動作条件を設定するための設定画面を表示部に表示させる設定画面の表示方法であって、前記動作条件の設定対象および当該動作条件の設定項目種別の少なくとも一方が相違する複数の前記設定画面のうちの指定された１つを前記表示部に表示させた状態において当該１つの設定画面を他の１つの前記設定画面に切り替えるときに、輝度、明度および彩度のうちの少なくとも１つを通常表示状態における常態表示レベルから当該常態表示レベルよりも低レベルの切替え時表示レベルまで低下させた後に当該少なくとも１つを当該常態表示レベルまで上昇させる。
【００１６】
また、請求項８記載の設定画面の表示方法は、請求項７記載の設定画面の表示方法において、前記少なくとも１つを前記常態表示レベルから前記切替え時表示レベルまで低下させるとき、および当該少なくとも１つを当該切替え時表示レベルから当該常態表示レベルまで上昇させるときの少なくとも一方において当該少なくとも１つを徐々に変更する。
【００１７】
さらに、請求項９記載の設定画面の表示方法は、請求項８記載の設定画面の表示方法において、前記少なくとも１つが前記切替え時表示レベルまで低下したときに前記１つの設定画面を前記他の１つの設定画面に切り替える。
【００１８】
また、請求項１０記載の設定画面の表示方法は、請求項７から９のいずれかに記載の設定画面の表示方法において、前記設定対象および前記設定項目種別の双方が相違する前記各設定画面を前記表示部に表示させる。
【００１９】
さらに、請求項１１記載の設定画面の表示方法は、請求項１０記載の設定画面の表示方法において、前記１つの設定画面と前記設定対象が同一で前記設定項目種別が相違する前記他の１つの設定画面に切り替えるときの前記切替え時表示レベルとしての第１の表示レベルと、前記１つの設定画面と前記設定項目種別が同一で前記設定対象が相違する前記他の１つの設定画面に切り替えるときの前記切替え時表示レベルとしての第２の表示レベルとを相違させる。
【００２０】
また、請求項１２記載の設定画面の表示方法は、請求項１０または１１記載の設定画面の表示方法において、前記１つの設定画面と前記設定対象が同一で前記設定項目種別が相違する前記他の１つの設定画面に切り替えるときに前記少なくとも１つの前記切替え時表示レベルへの変更を開始してから当該少なくとも１つの前記常態表示レベルへの変更を完了するまでの第１の時間と、前記１つの設定画面と前記設定項目種別が同一で前記設定対象が相違する前記他の１つの設定画面に切り替えるときに前記少なくとも１つの前記切替え時表示レベルへの変更を開始してから当該少なくとも１つの前記常態表示レベルへの変更を完了するまでの第２の時間とを相違させる。
【発明の効果】
【００２１】
請求項１記載の測定装置および請求項７記載の設定画面の表示方法によれば、動作条件の設定対象および動作条件の設定項目種別の少なくとも一方が相違する複数の設定画面のうちの指定された１つを表示部に表示させた状態において１つの設定画面を他の１つの設定画面に切り替えるときに、輝度、明度および彩度のうちの少なくとも１つを常態表示レベルから切替え時表示レベルまで低下させた後に常態表示レベルまで上昇させることにより、いずれかの設定画面から他のいずれかの設定画面に切り替える操作を行ったときに、上記の少なくとも１つが切替え時表示レベルまで低下した後に常態表示レベルまで上昇するように変化するため、この種の装置の操作に不慣れな利用者に対しても、切替え操作に伴って設定画面が正常に切り替わったことを直感的に認識させることができる。
【００２２】
また、請求項２記載の測定装置および請求項８記載の設定画面の表示方法によれば、上記の少なくとも１つを常態表示レベルから切替え時表示レベルまで低下させるとき、および上記の少なくとも１つを切替え時表示レベルから常態表示レベルまで上昇させるときの少なくとも一方において上記の少なくとも１つを徐々に変更することにより、上記の少なくも１つを常態表示レベルから切替え時表示レベルまで瞬間的に低下させたり、上記の少なくも１つを切替え時表示レベルから常態表示レベルまで瞬間的に上昇させたりするのと比較して、利用者の目にかかる負担が十分に小さくなるため、疲労度を十分に軽減することができる。
【００２３】
さらに、請求項３記載の測定装置および請求項９記載の設定画面の表示方法によれば、上記の少なくとも１つが切替え時表示レベルまで低下したときに上記の１つの設定画面を他の１つの設定画面に切り替えることにより、上記の少なくも１つが切替え時表示レベルまで低下する前に設定画面を切り替えたり、上記の少なくも１つが常態表示レベルまで上昇する前に設定画面を切り替えたりするのと比較して、切替え操作に伴って設定画面が正常に切り替わったことを直感的に認識させつつ、設定画面が切り替わる瞬間の表示画面の視認性を十分に低下させることができる結果、違和感のない自然な切替え表示を実現することができる。
【００２４】
また、請求項４記載の測定装置および請求項１０記載の設定画面の表示方法によれば、設定対象および設定項目種別の双方が相違する設定画面を表示部に表示させることにより、１つの設定画面内に、１つの設定対象に関する１つの設定項目種別についての設定項目だけが表示されるため、設定画面の視認性を十分に向上させることができる結果、この種の装置の操作に不慣れな利用者に対しても、動作条件を容易に設定させることができる。
【００２５】
さらに、請求項５記載の測定装置および請求項１１記載の設定画面の表示方法によれば、上記の１つの設定画面と設定対象が同一で設定項目種別が相違する他の１つの設定画面に切り替えるときの切替え時表示レベルとしての第１の表示レベルと、上記の１つの設定画面と設定項目種別が同一で設定対象が相違する他の１つの設定画面に切り替えるときの切替え時表示レベルとしての第２の表示レベルとを相違させることにより、設定対象が同一で設定項目種別が相違する他の１つの設定画面に切り替わったのか、或いは、設定項目種別が同一で設定対象が相違する他の１つの設定画面に切り替わったのかを切替え時表示レベルの相違によって直感的に認識させることができる。
【００２６】
また、請求項６記載の測定装置および請求項１２記載の設定画面の表示方法によれば、上記の１つの設定画面と設定対象が同一で設定項目種別が相違する他の１つの設定画面に切り替えるときに上記の少なくとも１つの切替え時表示レベルへの変更を開始してから上記の少なくとも１つの常態表示レベルへの変更を完了するまでの第１の時間と、上記の１つの設定画面と設定項目種別が同一で設定対象が相違する他の１つの設定画面に切り替えるときに上記の少なくとも１つの切替え時表示レベルへの変更を開始してから上記の少なくとも１つの常態表示レベルへの変更を完了するまでの第２の時間とを相違させることにより、設定対象が同一で設定項目種別が相違する他の１つの設定画面に切り替わったのか、或いは、設定項目種別が同一で設定対象が相違する他の１つの設定画面に切り替わったのかを表示レベルを相違させている時間の相違によって直感的に認識させることができる。
【図面の簡単な説明】
【００２７】
【図１】波形記録装置１の構成を示すブロック図である。
【図２】波形記録装置１における動作条件設定画面１０Ａ１〜１０Ａ４，１０Ｂ１〜１０Ｂ４，１０Ｃ１〜１０Ｃ４，１０Ｄ１〜１０Ｄ４の相互の関係について説明するための説明図である。
【図３】設定画面の切り替えと、表示レベルの変更方法との関係について説明するための説明図である。
【図４】設定画面の切り替えと、表示レベルの他の変更方法との関係について説明するための説明図である。
【図５】設定画面の切り替えと、表示レベルのさらに他の変更方法との関係について説明するための説明図である。
【発明を実施するための形態】
【００２８】
以下、測定装置、および設定画面の表示方法の実施の形態について、添付図面を参照して説明する。
【００２９】
図１に示す波形記録装置１は、測定装置の一例であって、測定部２ａ〜２ｄ、操作部３、表示部４、記憶部５，６および制御部７を備え、後述する設定画面の表示方法に従って各種設定画面を表示部４に切り替えて表示することができるように構成されている。測定部２ａ〜２ｄは、制御部７の制御に従い、入力信号Ｓｉ１〜Ｓｉ４の電気的パラメータ（電圧値、電流値、抵抗値、周波数および位相など）を別個独立して測定し（所定のサンプリングレートでサンプリングし）、測定データＤｓ１〜Ｄｓ４を生成して出力する。なお、以下の説明においては、測定部２ａを測定チャンネル１（ＣＨ１）ともいい、測定部２ｂを測定チャンネル２（ＣＨ２）ともいい、測定部２ｃを測定チャンネル３（ＣＨ３）ともいい、測定部２ｄを測定チャンネル４（ＣＨ４）ともいう。
【００３０】
操作部３は、波形記録装置１の動作条件の設定操作や、図２に示す動作条件設定画面１０Ａ１〜１０Ａ４，１０Ｂ１〜１０Ｂ４，１０Ｃ１〜１０Ｃ４，１０Ｄ１〜１０Ｄ４（「複数の設定画面」の一例：以下、区別しないときには、「動作条件設定画面１０」ともいう）の切替え操作や各種設定操作を実行するための複数の種操作スイッチ（図示せず）を備え、スイッチ操作に応じた操作信号Ｓ１を制御部７に出力する。表示部４は、例えばＬＣＤで構成され、制御部７によって生成された表示データＤ２に基づき、動作条件設定画面１０や測定結果表示用画面（図示せず）などを表示する。この場合、図２に示すように、この波形記録装置１では、測定部２ａ〜２ｄ（ＣＨ１〜ＣＨ４）の相違（「測定対象」の相違の一例）、および設定すべき設定項目種別である「動作条件Ａ」〜「動作条件Ｄ」の相違の双方に応じて合計１６種類の動作条件設定画面１０が規定され、各動作条件設定画面１０のうちから、操作部３の操作によって指定された動作条件設定画面１０を表示部４に表示させる構成が採用されている。
【００３１】
具体的には、動作条件設定画面１０Ａ１〜１０Ａ４は、測定部２ａ〜２ｄ（ＣＨ１〜ＣＨ４）についての「動作条件Ａ」について設定するための設定画面であって、一例として、測定部２ａ〜２ｄによる測定処理時における測定レンジについての各種設定項目毎の設定値がそれぞれ表示される（図示せず）。また、動作条件設定画面１０Ｂ１〜１０Ｂ４は、測定部２ａ〜２ｄ（ＣＨ１〜ＣＨ４）についての「動作条件Ｂ」について設定するための設定画面であって、一例として、測定部２ａ〜２ｄによる測定処理時におけるスケーリングについての各種設定項目毎の設定値がそれぞれ表示される（図示せず）。さらに、動作条件設定画面１０Ｃ１〜１０Ｃ４は、測定部２ａ〜２ｄ（ＣＨ１〜ＣＨ４）についての「動作条件Ｃ」について設定するための設定画面であって、一例として、測定部２ａ〜２ｄによる測定結果の記録についての各種設定項目毎の設定値がそれぞれ表示される（図示せず）。また、動作条件設定画面１０Ｄ１〜１０Ｄ４は、測定部２ａ〜２ｄ（ＣＨ１〜ＣＨ４）についての「動作条件Ｄ」について設定するための設定画面であって、一例として、測定部２ａ〜２ｄによる測定結果の表示処理についての各種設定項目毎の設定値がそれぞれ表示される（図示せず）。
【００３２】
また、この波形記録装置１では、各動作条件設定画面１０のうちのいずれかを表示部４に表示させた状態において、操作部３に対する１回のスイッチ操作により、その動作条件設定画面１０に対して、図２において上下方向で隣り合う動作条件設定画面１０、および左右方向で隣り合う動作条件設定画面１０のいずれかに切り替えることができるように構成されている。この場合、上記の「上下方向で隣り合う動作条件設定画面１０」には、動作条件設定画面１０Ａ１〜１０Ｄ１に対する動作条件設定画面１０Ａ４〜１０Ｄ４、および動作条件設定画面１０Ａ４〜１０Ｄ４に対する動作条件設定画面１０Ａ１〜１０Ｄ１が含まれる。また、上記の「左右方向で隣り合う動作条件設定画面１０」には、動作条件設定画面１０Ａ１〜１０Ａ４に対する動作条件設定画面１０Ｄ１〜１０Ｄ４、および動作条件設定画面１０Ｄ１〜１０Ｄ４に対する動作条件設定画面１０Ａ１〜１０Ａ４が含まれる。
【００３３】
なお、この波形記録装置１では、動作条件設定画面１０Ａ１〜１０Ａ４のうちのいずれかから動作条件設定画面１０Ｂ１〜１０Ｂ４，１０Ｄ１〜１０Ｄ４のうちのいずれかに切り替えるとき、動作条件設定画面１０Ｂ１〜１０Ｂ４のうちのいずれかから動作条件設定画面１０Ａ１〜１０Ａ４，１０Ｃ１〜１０Ｃ４のうちのいずれかに切り替えるとき、動作条件設定画面１０Ｃ１〜１０Ｃ４のうちのいずれかから動作条件設定画面１０Ｂ１〜１０Ｂ４，１０Ｄ１〜１０Ｄ４のうちのいずれかに切り替えるとき、および動作条件設定画面１０Ｄ１〜１０Ｄ４のうちのいずれかから動作条件設定画面１０Ａ１〜１０Ａ４，１０Ｃ１〜１０Ｃ４のうちのいずれかに切り替えるときが、「１つの設定画面と設定対象が同一で設定項目種別が相違する他の１つの設定画面に切り替えるとき」に相当する。
【００３４】
また、この波形記録装置１では、動作条件設定画面１０Ａ１〜１０Ｄ１のうちのいずれかから動作条件設定画面１０Ａ２〜１０Ｄ２，１０Ａ４〜１０Ｄ４のうちのいずれかに切り替えるとき、動作条件設定画面１０Ａ２〜１０Ｄ２のうちのいずれかから動作条件設定画面１０Ａ１〜１０Ｄ１，１０Ａ３〜１０Ｄ３のうちのいずれかに切り替えるとき、動作条件設定画面１０Ａ３〜１０Ｄ３のうちのいずれかから動作条件設定画面１０Ａ２〜１０Ｄ２，１０Ａ４〜１０Ｄ４のうちのいずれかに切り替えるとき、および動作条件設定画面１０Ａ４〜１０Ｄ４のうちのいずれかから動作条件設定画面１０Ａ１〜１０Ｄ１，１０Ａ３〜１０Ｄ３のうちのいずれかに切り替えるときが、「１つの設定画面と設定項目種別が同一で設定対象が相違する他の１つの設定画面に切り替えるとき」に相当する。
【００３５】
記憶部５は、制御部７の制御に従い、制御部７の動作プログラムや、上記の動作条件設定画面１０を表示させた状態において設定された動作条件についての動作条件データＤ１を記憶する。記憶部６は、制御部７の制御に従い、測定部２ａ〜２ｄから出力された測定データＤｓ１〜Ｄｓ４を記憶する。制御部７は、波形記録装置１を総括的に制御する。具体的には、制御部７は、後述するようにして、操作部３から出力される操作信号Ｓ１に応じて指定された動作条件設定画面１０を表示部４に表示させると共に、その状態において実行される設定操作に応じて動作条件データＤ１を生成して記憶部５に記憶させる。
【００３６】
この場合、この波形記録装置１では、上記の１６種類の動作条件設定画面１０のうちの任意の１つを表示部４に表示させた状態において、その１つの動作条件設定画面１０を他の１５種類の動作条件設定画面１０のうちのいずれかに切り替えて表示させるときに、制御部７が動作条件設定画面１０全域の明度を通常表示状態における常態表示レベルの明度から、常態表示レベルよりも低レベルの切替え時表示レベルの明度まで徐々に低下させた後に、動作条件設定画面１０全域の明度を常態表示レベルまで徐々に上昇（復帰）させる処理を実行する（「輝度、明度および彩度のうちの少なくとも１つ」が「明度」の構成および方法の例）。なお、動作条件設定画面１０の表示処理に関しては、後に詳細に説明する。
【００３７】
また、制御部７は、記憶部５に記憶させた動作条件データＤ１に基づき、測定部２ａ〜２ｄを制御して入力信号Ｓｉ１〜Ｓｉ４についての測定処理を実行させると共に、測定部２ａ〜２ｄから出力される測定データＤｓ１〜Ｄｓ４を記憶部６に記憶させる。さらに、制御部７は、動作条件データＤ１に基づき、記憶部６に記憶させた測定データＤｓ１〜Ｄｓ４に基づいて表示データＤ２を生成して表示部４に出力することにより、測定結果表示画面内に測定結果を表示させる（図示せず）。
【００３８】
この波形記録装置１の使用に際しては、まず、測定部２ａ〜２ｄ（ＣＨ１〜ＣＨ４）毎の動作条件を設定する。具体的には、操作部３の所定の操作スイッチを操作することにより、動作条件設定画面１０を表示部４に表示させる。この際には、一例として、測定部２ａ（ＣＨ１）についての「動作条件Ａ」を設定するための動作条件設定画面１０Ａ１が表示部４に表示される（図示せず）。この場合、この波形記録装置１では、動作条件設定画面１０Ａ１を表示させた状態において、操作部３に対する１回のスイッチ操作によって、動作条件設定画面１０Ａ２，１０Ａ４のいずれか（同種の動作条件で、対象とする測定チャンネルが相違する動作条件設定画面１０）、または、動作条件設定画面１０Ｂ１，１０Ｄ１のいずれか（同一の測定チャンネルで、動作条件の種類が相違する動作条件設定画面１０）に切り替えることが可能となっている。したがって、一例として、測定部２ｂ（ＣＨ２）についての「動作条件Ａ」を設定する際には、操作部３を操作して動作条件設定画面１０Ａ１を動作条件設定画面１０Ａ２に切り替える。
【００３９】
この際に、制御部７は、操作部３からの操作信号Ｓ１に応じて、動作条件設定画面の切替え表示処理を実行する。この切替え表示処理では、制御部７は、まず、図３に破線で示すように、操作信号Ｓ１が出力された時点ｔａ１において、動作条件設定画面１０Ａ１全域の明度を、通常表示状態におけるレベルＬａ（「常態表示レベル」の一例）から、レベルＬａよりも低レベルのレベルＬｂ（「切替え時表示レベルとしての第２の表示レベル」の一例）まで徐々に低下させる。また、制御部７は、動作条件設定画面１０Ａ１全域の明度がレベルＬｂまで低下した時点ｔａ２（明度が最も低下した時点）において、動作条件設定画面１０Ａ１に代えて明度がレベルＬｂの動作条件設定画面１０Ａ２を表示部４に表示させた後に（動作条件設定画面１０Ａ１を動作条件設定画面１０Ａ２に切り替えて表示させた後に）、動作条件設定画面１０Ａ２全域の明度をレベルＬａまで上昇させる。これにより、動作条件設定画面１０Ａ２全域の明度がレベルＬａとなった時点ｔａ３において、動作条件設定画面１０の切替え表示処理が完了する。
【００４０】
なお、上記のレベルＬｂは、一例として、レベルＬａに対して４０％程度低レベルに規定されている。また、この波形記録装置１では、一例として、上記の時点ｔａ１から時点ｔａ２までの時間、および上記の時点ｔａ２から時点ｔａ３までの時間がそれぞれ数十ｍｓから１ｓの間の時間（一例として、０．５ｓ）に規定されている。したがって、動作条件設定画面１０Ａ１から動作条件設定画面１０Ａ２に切り替えるスイッチ操作を実行した利用者に対して、動作条件設定画面１０全域の明度が変化した（低下してから常態表示レベルに復帰した）のを確実に認識させることができる。この後、動作条件設定画面１０Ａ２に表示された測定部２ｂ（ＣＨ２）についての「動作条件Ａ」の各設定項目を任意の条件に設定操作することにより、制御部７によって設定操作に応じた動作条件データＤ１が生成されて記憶部５に記憶される。
【００４１】
一方、動作条件設定画面１０Ａ２が表示されている状態においては、操作部３に対する１回のスイッチ操作によって、動作条件設定画面１０Ａ１，１０Ａ３のいずれか（同種の動作条件で、対象とする測定チャンネルが相違する動作条件設定画面１０）、または、動作条件設定画面１０Ｂ２，１０Ｄ２のいずれか（同一の測定チャンネルで、動作条件の種類が相違する動作条件設定画面１０）に切り替えることができる。したがって、一例として、測定部２ｂ（ＣＨ２）についての「動作条件Ｂ」を設定する際には、操作部３を操作して動作条件設定画面１０Ａ２を動作条件設定画面１０Ｂ２に切り替える。
【００４２】
この際に、制御部７は、操作部３からの操作信号Ｓ１に応じて、動作条件設定画面の切替え表示処理を実行する。この切替え表示処理では、制御部７は、まず、図３に実線で示すように、操作信号Ｓ１が出力された時点ｔａ１において、動作条件設定画面１０Ａ２全域の明度を、レベルＬａから、レベルＬａよりも低レベルで、かつ前述したレベルＬｂよりも低レベルのレベルＬｃ（「切替え時表示レベルとしての第１の表示レベル」の一例）まで徐々に低下させる。また、制御部７は、動作条件設定画面１０Ａ２全域の明度がレベルＬｃまで低下した時点ｔａ２（明度が最も低下した時点）において、動作条件設定画面１０Ａ２に代えて明度がレベルＬｃの動作条件設定画面１０Ｂ２を表示部４に表示させた後に（動作条件設定画面１０Ａ２を動作条件設定画面１０Ｂ２に切り替えて表示させた後に）、動作条件設定画面１０Ｂ２全域の明度をレベルＬａまで上昇させる。これにより、動作条件設定画面１０Ｂ２全域の明度がレベルＬａとなった時点ｔａ３において、動作条件設定画面１０の切替え表示処理が完了する。
【００４３】
なお、上記のレベルＬｃは、一例として、レベルＬａに対して８０％程度低レベルに規定されている。また、前述したように、上記のレベルＬｂは、一例として、レベルＬａに対して４０％程度低レベルに規定されている。したがって、動作条件設定画面１０を切り替えるスイッチ操作を実行した利用者に対して、動作条件設定画面１０全域の明度が変化した（低下してから常態表示レベルに復帰した）のを確実に認識させることができると共に、動作条件設定画面１０Ａ１を動作条件設定画面１０Ａ２に切り替えたときよりも、動作条件設定画面１０Ａ２を動作条件設定画面１０Ｂ２に切り替ええたときの方が低いレベルまで明度が低下したことを確実に認識させることができる。この後、動作条件設定画面１０Ｂ２に表示された測定部２ｂ（ＣＨ２）についての「動作条件Ｂ」の各設定項目を任意の条件に設定操作することにより、制御部７によって設定操作に応じた動作条件データＤ１が生成されて記憶部５に記憶される。
【００４４】
このように、この波形記録装置１、および波形記録装置１による設定画面の表示方法によれば、動作条件の設定対象（この例では、測定部２ａ〜２ｄ（ＣＨ１〜ＣＨ４）の４種類）および動作条件の設定項目種別（この例では、動作条件Ａ〜Ｄの４種類）の少なくとも一方（この例では、双方）が相違する１６種類の動作条件設定画面１０のうちの指定された１つを表示部に表示させた状態において、その１つの動作条件設定画面１０を他の１つの動作条件設定画面１０に切り替えるときに、輝度、明度および彩度のうちの少なくとも１つ（この例では、明度）を常態表示レベルのレベルＬａから切替え時表示レベルのレベルＬｂ（または、レベルＬｃ）まで低下させた後にレベルＬａまで上昇させることにより、いずれかの動作条件設定画面１０から他のいずれかの動作条件設定画面１０に切り替える操作を行ったときに、上記の少なくとも１つが切替え時表示レベルまで低下した後に常態表示レベルまで上昇するように変化するため、この種の装置の操作に不慣れな利用者に対しても、切替え操作に伴って動作条件設定画面１０が正常に切り替わったことを直感的に認識させることができる。
【００４５】
また、この波形記録装置１、および波形記録装置１による設定画面の表示方法によれば、上記の少なくとも１つ（この例では、明度）をレベルＬａからレベルＬｂ（または、レベルＬｃ）まで低下させるとき、および上記の少なくとも１つをレベルＬｂ（または、レベルＬｃ）からレベルＬａまで上昇させるときの少なくとも一方（この例では、双方）において上記の少なくとも１つを徐々に変更することにより、上記の少なくも１つを常態表示レベルから切替え時表示レベルまで瞬間的に低下させたり、上記の少なくも１つを切替え時表示レベルから常態表示レベルまで瞬間的に上昇させたりするのと比較して、利用者の目にかかる負担が十分に小さくなるため、疲労度を十分に軽減することができる。
【００４６】
さらに、この波形記録装置１、および波形記録装置１による設定画面の表示方法によれば、上記の少なくとも１つ（この例では、明度）が切替え時表示レベル（この例では、レベルＬｂ、または、レベルＬｃ）まで低下したときに上記の１つの動作条件設定画面１０を他の１つの動作条件設定画面１０に切り替えることにより、上記の少なくも１つが切替え時表示レベルまで低下する前に動作条件設定画面１０を切り替えたり、上記の少なくも１つが常態表示レベルまで上昇する前に動作条件設定画面１０を切り替えたりするのと比較して、切替え操作に伴って動作条件設定画面１０が正常に切り替わったことを直感的に認識させつつ、動作条件設定画面１０が切り替わる瞬間の表示画面の視認性を十分に低下させることができる結果、違和感のない自然な切替え表示を実現することができる。
【００４７】
また、この波形記録装置１、および波形記録装置１による設定画面の表示方法によれば、設定対象および設定項目種別の双方が相違する動作条件設定画面１０を表示部４に表示させることにより、１つの動作条件設定画面１０内に、１つの設定対象に関する１つの設定項目種別についての設定項目だけが表示されるため、動作条件設定画面１０の視認性を十分に向上させることができる結果、この種の装置の操作に不慣れな利用者に対しても、動作条件を容易に設定させることができる。
【００４８】
さらに、この波形記録装置１、および波形記録装置１による設定画面の表示方法によれば、上記の１つの動作条件設定画面１０と設定対象が同一で設定項目種別が相違する他の１つの動作条件設定画面１０に切り替えるときの切替え時表示レベルとしての第１の表示レベル（この例では、レベルＬｃ）と、上記の１つの動作条件設定画面１０と設定項目種別が同一で設定対象が相違する他の１つの動作条件設定画面１０に切り替えるときの切替え時表示レベルとしての第２の表示レベル（この例では、レベルＬｂ）とを相違させることにより、設定対象が同一で設定項目種別が相違する他の１つの動作条件設定画面１０に切り替わったのか、或いは、設定項目種別が同一で設定対象が相違する他の１つの動作条件設定画面１０に切り替わったのかを切替え時表示レベルの相違によって直感的に認識させることができる。
【００４９】
なお、動作条件設定画面１０の切替え表示処理に際して、動作条件設定画面１０の明度が切替え時表示レベル（この例では、レベルＬｂ、または、レベルＬｃ）まで低下した時点ｔａ２において動作条件設定画面１０を切り替える構成および方法を例に挙げて説明したが、動作条件設定画面１０を切り替えるタイミングについては、時点ｔａ１〜ｔａ２の間の任意の時点、および時点ｔａ２〜ｔａ３の間の任意の時点とすることができる。このような構成および方法を採用した場合においても、動作条件設定画面１０の切り替わりに際して動作条件設定画面１０全域の明度がレベルＬａからレベルＬｂ（またはレベルＬｃ）まで低下した後に再びレベルＬａまで上昇するため、動作条件設定画面１０が切り替わったことを利用者に対して確実に認識させることができる。
【００５０】
また、動作条件設定画面１０の切替え表示処理に際して、スイッチ操作が行われた（操作部３から操作信号Ｓ１が出力された）時点ｔａ１から動作条件設定画面１０全域の明度を徐々に低下させ、動作条件設定画面１０全域の明度が切替え時表示レベルまで低下した時点ｔａ２から動作条件設定画面１０全域の明度を徐々に上昇させる構成および方法を例に挙げて説明したが、例えば、図４における左図に示すように、スイッチ操作が行われた（操作部３から操作信号Ｓ１が出力された）時点ｔｂ１から動作条件設定画面１０全域の明度を徐々に低下させ、動作条件設定画面１０全域の明度がレベルＬｂ（または、レベルＬｃ）まで低下した時点ｔｂ２において、直ちに（徐々に低下させる時間よりも短時間で、つまり瞬間的に）動作条件設定画面１０全域の明度を常態表示レベルのレベルＬａに上昇させる構成および方法や、図４における右図に示すように、スイッチ操作が行われた（操作部３から操作信号Ｓ１が出力された）時点ｔｃ１において動作条件設定画面１０全域の明度を直ちに（後述する徐々に上昇させる時間よりも短時間で、つまり瞬間的に）レベルＬｂ（またはレベルＬｃ）まで低下させ、時点ｔｃ１から時点ｔｃ２にかけて動作条件設定画面１０全域の明度をレベルＬａまで徐々に上昇させる構成および方法を採用することもできる。このような構成および方法を採用した場合においても、動作条件設定画面１０の切り替わりに際して動作条件設定画面１０全域の明度がレベルＬａからレベルＬｂ（またはレベルＬｃ）まで低下した後に再びレベルＬａまで上昇するため、動作条件設定画面１０が切り替わったことを利用者に対して確実に認識させることができる。
【００５１】
さらに、「第２の表示レベル」としてのレベルＬｂよりも「第１の表示レベル」としてのレベルＬｃを低レベルに規定した例について説明したが、「第１の表示レベル」よりも「第２の表示レベル」を低レベルに規定することもできる。また、「第１の表示レベル」としてのレベルＬｃと、「第２の表示レベル」としてのレベルＬｂとを相違させることにより、どのような内容の動作条件設定画面１０に切り替えたのかを認識させる構成および方法について説明したが、切替え表示処理時における表示レベルの変更方法は、これに限定されない。
【００５２】
例えば、図５に示すように、表示部４に表示されている動作条件設定画面１０と設定対象が同一で設定項目種別が相違する動作条件設定画面１０に切り替えるときの表示レベル（一例として、実線で示すレベル）と、表示部４に表示されている動作条件設定画面１０と設定項目種別が同一で設定対象が相違する動作条件設定画面１０に切り替えるときの表示レベル（一例として、破線で示すレベル）とを互いに等しいレベルＬｃに規定すると共に、設定対象が同一で設定項目種別が相違する動作条件設定画面１０に切り替えるときと、設定項目種別が同一で設定対象が相違する動作条件設定画面１０に切り替えるときとで、輝度、明度および彩度のうちの少なくとも１つ（一例として、明度）の切替え時表示レベルへの変更を開始してから上記の少なくとも１つの常態表示レベルへの変更を完了するまでの時間を互いに相違する時間に規定する構成および方法を採用することもできる。
【００５３】
具体的には、設定対象（一例として、測定部２ａ〜２ｄ（ＣＨ１〜ＣＨ４））が同一で設定項目種別（一例として、動作条件Ａ〜Ｄ）が相違する動作条件設定画面１０に切り替えるときには、操作部３からの操作信号Ｓ１が出力された時点ｔｄ１において、実線で示すように、動作条件設定画面１０全域の明度を、通常表示状態におけるレベルＬａ（「常態表示レベル」の一例）から、レベルＬａよりも低レベルのレベルＬｃ（「切替え時表示レベル」の一例）まで徐々に低下させる。また、動作条件設定画面１０全域の明度がレベルＬｃまで低下した時点ｔｄ２ａ（明度が最も低下した時点）において、他の動作条件設定画面１０をレベルＬｃの明度で表示部４に表示させた後に（いずれかの動作条件設定画面１０を他のいずれかの動作条件設定画面１０に切り替えて表示させた後に）、動作条件設定画面１０全域の明度をレベルＬａまで上昇させる。これにより、動作条件設定画面１０全域の明度がレベルＬａとなった時点ｔｄ３ａにおいて、動作条件設定画面１０の切替え表示処理が完了する。
【００５４】
一方、設定項目種別が同一で設定対象が相違する動作条件設定画面１０に切り替えるときには、操作部３からの操作信号Ｓ１が出力された時点ｔｄ１において、破線で示すように、動作条件設定画面１０全域の明度を、通常表示状態におけるレベルＬａ（「常態表示レベル」の一例）から、レベルＬａよりも低レベルのレベルＬｃ（「切替え時表示レベル」の一例）まで徐々に低下させる。また、動作条件設定画面１０全域の明度がレベルＬｃまで低下した時点ｔｄ２ｂ（明度が最も低下した時点）において、他の動作条件設定画面１０をレベルＬｃの明度で表示部４に表示させた後に（いずれかの動作条件設定画面１０を他のいずれかの動作条件設定画面１０に切り替えて表示させた後に）、動作条件設定画面１０全域の明度をレベルＬａまで上昇させる。これにより、動作条件設定画面１０全域の明度がレベルＬａとなった時点ｔｄ３ｂにおいて、動作条件設定画面１０の切替え表示処理が完了する。
【００５５】
なお、上記の例では、時点ｔｄ１から時点ｔｄ３ｂまでの時間が「第１の時間」に相当し、時点ｔｄ１から時点ｔｄ３ａまでの時間が「第２の時間」に相当する。この場合、この切替え表示処理においては、一例として、上記の時点ｔｄ１から時点ｔｄ２ａまでの時間、および上記の時点ｔｄ２ａから時点ｔｄ３ａまでの時間がそれぞれ０．５ｓに規定されると共に、上記の時点ｔｄ１から時点ｔｄ２ｂまでの時間、および上記の時点ｔｄ２ｂから時点ｔｄ３ｂまでの時間がそれぞれ０．２５ｓに規定されている。したがって、動作条件設定画面１０を切り替えるスイッチ操作を実行した利用者に対して、動作条件設定画面１０が切り替わるときに動作条件設定画面１０全域の明度が、前述したレベルＬａからレベルＬｃまでの低下して再びレベルＬａまでの上昇するまでの時間が相違するのを確実に認識させることができる。なお、「第１の時間」よりも「第２の時間」を短時間に規定してもよい。
【００５６】
このように、設定対象（この例では、測定部２ａ〜２ｄ（ＣＨ１〜ＣＨ４））が同一で設定項目種別（この例では、動作条件Ａ〜Ｄ）が相違する動作条件設定画面１０に切り替えるときに輝度、明度および彩度のうちの少なくとも１つ（一例として、明度）の切替え時表示レベル（この例では、レベルＬｃ）への変更を開始してから上記の少なくとも１つの常態表示レベル（この例では、レベルＬａ）への変更を完了するまでの第１の時間（この例では、時点ｔｄ１から時点ｔｄ３ｂまでの時間）と、設定項目種別が同一で設定対象が相違する動作条件設定画面１０に切り替えるときに上記の少なくとも１つの切替え時表示レベルへの変更を開始してから上記の少なくとも１つの常態表示レベルへの変更を完了するまでの第２の時間（この例では、時点ｔｄ１から時点ｔｄ３ａまでの時間）とを相違させることにより、設定対象が同一で設定項目種別が相違する他の１つの動作条件設定画面１０に切り替わったのか、或いは、設定項目種別が同一で設定対象が相違する他の１つの動作条件設定画面１０に切り替わったのかを表示レベルを相違させている時間の相違によって直感的に認識させることができる。
【００５７】
また、動作条件設定画面１０の切り替えに際して設定対象が同一で設定項目種別が相違する動作条件設定画面１０に切り替えるときの第１の表示レベルと設定項目種別が同一で設定対象が相違する動作条件設定画面１０に切り替えるときの第２の表示レベルとを相違させる例、および動作条件設定画面１０の切り替えに際して設定対象が同一で設定項目種別が相違する動作条件設定画面１０に切り替えるときに切替え時表示レベルへの変更を開始してから常態表示レベルへの変更を完了するまでの第１の時間と設定項目種別が同一で設定対象が相違する動作条件設定画面１０に切り替えるときに切替え時表示レベルへの変更を開始してから常態表示レベルへの変更を完了するまでの第２の時間とを相違させる例の２種類の構成および方法について説明したが、動作条件設定画面１０の切り替えに際して上記の第１の表示レベルと第２の表示レベルとを相違させると共に上記の第１の時間と第２の時間とを相違させる構成および方法を採用することもできる。このような構成および方法を採用することにより、切替え時表示レベルへの変更を開始してから常態表示レベルへの変更を完了するまでの時間を変更することなく、上記の第１の表示レベルと第２の表示レベルとを相違させる構成および方法や、切替え時表示レベルを変更することなく、上記の第１の時間と第２の時間とを相違させる構成および方法と比較して、設定対象が同一で設定項目種別が相違する他の１つの動作条件設定画面１０に切り替わったのか、或いは、設定項目種別が同一で設定対象が相違する他の１つの動作条件設定画面１０に切り替わったのかを確実に認識させることができる。
【００５８】
さらに、動作条件設定画面１０の切替え表示処理に際して動作条件設定画面１０全域の明度を変更する構成および方法を例に挙げて説明したが、動作条件設定画面１０の一部（一例として、画面中央部）の明度だけを変更する構成および方法を採用することもできる。さらに、明度を変更する構成および方法に代えて、輝度および彩度のいずれか、または、輝度、明度および彩度のうちのいずれか２つ以上を変更する構成および方法を採用することもできる。このような構成および方法を採用した場合においても、上記の波形記録装置１、および波形記録装置１による設定画面の表示方法による効果と同様の効果を奏することができる。また、常態表示レベルから切替え時表示レベルまで表示レベルを低下させるのに要する時間と、切替え時表示レベルから常態表示レベルまで表示レベルを上昇させるのに要する時間とを同じ時間に規定した構成および方法について説明したが、量時間を互いに相違する時間に規定することもできる。さらに、測定装置としての波形記録装置１を例に挙げて説明したが、測定データＤｓ１〜Ｄｓ４等の記録を実行しない測定装置や、測定結果の表示を実行しない測定装置における動作条件設定画面の表示に際して、上記の表示方法と同様の方法を実行する構成を採用することもできる。
【符号の説明】
【００５９】
１  波形記録装置
３  操作部
４  表示部
５  記憶部
７  制御部
１０Ａ１〜１０Ａ４，１０Ｂ１〜１０Ｂ４，１０Ｃ１〜１０Ｃ４，１０Ｄ１〜１０Ｄ４  動作条件設定画面
Ｄ１  動作条件データ
Ｄ２  表示データ
Ｌａ〜Ｌｃ  レベル
Ｓ１  操作信号
ｔａ１〜ｔａ３，ｔｂ１〜ｔｂ５，ｔｃ１，ｔｃ２，ｔｄ１，ｔｄ２  時点
【図１】
2011145964.tif 000003
【図２】
2011145964.tif 000004
【図３】
2011145964.tif 000005
【図４】
2011145964.tif 000006
【図５】
2011145964.tif 000007